(57)【特許請求の範囲】
【請求項１】
ＶｏＩＰ網における呼制御装置と、構内交換機とＶｏＩＰ網とを接続するためのＶｏＩＰ装置とを備えたＶｏＩＰ通信システムであって、
前記ＶｏＩＰ装置は、
認証情報を格納した認証情報格納手段と、
前記構内交換機から送出された発信電話端末の電話番号を受信し、その電話番号と前記認証情報格納手段に格納された認証情報とを含む発呼要求をＶｏＩＰ網に送出する手段とを備え、
前記呼制御装置は、
複数の電話端末の電話番号群を所定のグループ毎に格納する電話番号格納手段と、
認証情報群を前記グループに対応付けて格納するグループ毎認証情報格納手段と、
前記ＶｏＩＰ装置から受信した発呼要求に含まれる発信電話端末の電話番号が前記電話番号格納手段に格納されているか否かを判定し、格納されている場合に、当該電話番号が属するグループに対応付けられた認証情報群の中に前記発呼要求に含まれる認証情報が存在するか否かを判定する判定手段と、
前記判定手段により前記認証情報群の中に前記発呼要求に含まれる認証情報が存在すると判定された場合に、前記発呼要求に基づく呼接続処理を行う呼制御手段とを備えた
ことを特徴とするＶｏＩＰ通信システム。
【請求項２】
ＶｏＩＰ網における呼制御装置と、構内交換機とＶｏＩＰ網とを接続するためのＶｏＩＰ装置とを備えたＶｏＩＰ通信システムにおける発信制御方法であって、
前記ＶｏＩＰ装置は、認証情報を格納した認証情報格納手段を備え、前記呼制御装置は、複数の電話端末の電話番号群を所定のグループ毎に格納する電話番号格納手段と、認証情報群を前記グループに対応付けて格納するグループ毎認証情報格納手段とを備えており、前記発信制御方法は、
前記ＶｏＩＰ装置が、前記構内交換機から送出された発信電話端末の電話番号を受信し、その電話番号と前記認証情報格納手段に格納された認証情報とを含む発呼要求をＶｏＩＰ網に送出するステップと、
前記呼制御装置が、前記ＶｏＩＰ装置から受信した発呼要求に含まれる発信電話端末の電話番号が前記電話番号格納手段に格納されているか否かを判定し、格納されている場合に、当該電話番号が属するグループに対応付けられた認証情報群の中に前記発呼要求に含まれる認証情報が存在するか否かを判定する判定ステップと、
前記呼制御装置が、前記判定ステップにより前記認証情報群の中に前記発呼要求に含まれる認証情報が存在すると判定された場合に、前記発呼要求に基づく呼接続処理を行う呼制御ステップと、
を備えたことを特徴とする発信制御方法。
【発明の詳細な説明】
【技術分野】
【０００１】
本発明は、構内交換機（ＰＢＸ）を用いてＶｏＩＰにおけるダイヤルインサービスを提供する技術に関するものであり、特に、ＶｏＩＰのダイヤルインサービスにおいて発信側電話端末の電話番号を個別に着信側に通知する技術に関するものである。
【背景技術】
【０００２】
図１に、ＶｏＩＰ網を用いたダイアルインサービスを提供するための従来のシステム構成を示す。図１に示すように、複数の電話機が接続された構内交換機１０にＶｏＩＰ端末１、２が接続され、ＶｏＩＰ端末１、２はＶｏＩＰ網２０に接続される。この構内交換機１０は、ＩＳＤＮ回線等の公衆電話回線に接続してダイアルインサービスを提供する機能を有する一般的な構内交換機である。また、ＩＳＤＮ回線を用いることにより発信電話端末の電話番号を個別に発信することが可能である。
【０００３】
ＶｏＩＰ端末１、２は、構内交換機１０とＶｏＩＰ網２０とを接続するためのものであり、音声／ＩＰパケット変換、ＶｏＩＰ網上の通話チャネル確立のためのシグナリング機能、構内交換機１０との接続のためのインタフェース機能等を有している。ＶｏＩＰ網１０は、例えばＳＩＰにより呼接続制御等を行う呼制御サーバ（ＣＡ）２１を備えたＩＰ網である。
【０００４】
図１に示すシステムでは、構内交換機１０に２つのＶｏＩＰ端末１、２を介して２つのアクセス回線が接続されており、この２回線で代表ダイアルインサービスが実現されている。例えば、外線から０５０−３３８７−１００１に対して電話をかけた場合に、呼制御サーバ２１の機能により構内交換機１０に着信番号が通知され、０５０−３３８７−１００１の電話端末への着信ができる。
【０００５】
また、このシステムでは、各ＶｏＩＰ端末は基本契約番号として設定されている電話番号と、その電話番号に対応付けて設定されたＩＤとパスワードとを保持している。また、呼制御サーバ２１も、各ＶｏＩＰ端末内に設定されている電話番号／ＩＤ／パスワードの組を保持している。
【０００６】
例えば電話番号０５０−３３８７−１００１の電話端末が発信を行う場合、構内交換機１０は空いている回線（構内交換機１０とＶｏＩＰ端末間の回線）を探し、その回線を経由してＶｏＩＰ端末に発信要求を送る。ここではＶｏＩＰ端末１に発信要求が送られたものとする。ＶｏＩＰ端末１は、ＶｏＩＰ端末１内に設定された電話番号０５０−３３８７−１０００及びそれに対応付けられているＩＤとパスワードとを含む発呼要求をＶｏＩＰ網２０に送出する。
【０００７】
発呼要求を受けた呼制御サーバ２１は、呼制御サーバ２１内に保持している電話番号／ＩＤ／パスワードの組を用いて発呼要求に含まれている電話番号／ＩＤ／パスワードの組が正しいか否かの判定を行い、正しければ呼接続処理を行う。このような判定を行うことにより、ＶｏＩＰ通信において発信側が正しい発信者であることを認証できる。
【０００８】
なお、ダイヤルイン機能を有する構内交換機に関する従来技術の一例として特許文献１に記載された技術がある。
【特許文献１】特開2000-134330号公報
【発明の開示】
【発明が解決しようとする課題】
【０００９】
しかしながら、上記の例では着信側へは発信電話端末の電話番号０５０−３３８７−１００１ではなく、基本契約番号１である０５０−３３８７−１０００が通知されるという問題がある。図１に示したダイアルインサービスを提供するシステムにおいて、発信電話端末の電話番号を個別に発信する技術が求められている。
【００１０】
本発明は上記の点に鑑みてなされたものであり、ＶｏＩＰを利用したダイヤルインサービスにおいて発信電話端末の電話番号を個別に発信する技術を提供することを目的とする。
【課題を解決するための手段】
【００１１】
上記の課題は、ＶｏＩＰ網における呼制御装置と、構内交換機とＶｏＩＰ網とを接続するためのＶｏＩＰ装置とを備えたＶｏＩＰ通信システムであって、前記ＶｏＩＰ装置は、認証情報を格納した認証情報格納手段と、前記構内交換機から送出された発信電話端末の電話番号を受信し、その電話番号と前記認証情報格納手段に格納された認証情報とを含む発呼要求をＶｏＩＰ網に送出する手段とを備え、前記呼制御装置は、複数の電話端末の電話番号群を所定のグループ毎に格納する電話番号格納手段と、認証情報群を前記グループに対応付けて格納するグループ毎認証情報格納手段と、前記ＶｏＩＰ装置から受信した発呼要求に含まれる発信電話端末の電話番号が前記電話番号格納手段に格納されているか否かを判定し、格納されている場合に、当該電話番号が属するグループに対応付けられた認証情報群の中に前記発呼要求に含まれる認証情報が存在するか否かを判定する判定手段と、前記判定手段により前記認証情報群の中に前記発呼要求に含まれる認証情報が存在すると判定された場合に、前記発呼要求に基づく呼接続処理を行う呼制御手段とを備えたことを特徴とするＶｏＩＰ通信システムにより解決される。
【発明の効果】
【００１４】
本発明によれば、ＶｏＩＰ装置は、構内交換機から送出された発信電話端末の電話番号を受信し、その電話番号と予め格納した認証情報とを含む発呼要求をＶｏＩＰ網に送出する。呼制御装置では電話番号群のグループと認証情報群のグループとを対応付けて保持しており、発呼要求に含まれる発信電話端末の電話番号が属するグループに対応する認証情報群の中に発呼要求に含まれる認証情報が存在するか否かのチェックを行うことにより発信端末の認証を行う。このような構成を採用したことにより、各ＶｏＩＰ端末は認証情報と電話番号との対の情報を持つことなく認証情報を持つだけで、ＶｏＩＰにおける個別発信番号通知を行うことが可能となる。
【発明を実施するための最良の形態】
【００１５】
以下、図面を参照して本発明の実施の形態について説明する。
【００１６】
（個別番号発信を実現するためのシステムの一例について）
発信電話端末の番号を個別に通知するために、図２に示す構成とすることがまず考えられる。
【００１７】
このシステムでは構内交換機１０に収容されている各電話端末に対して電話番号／ＩＤ／パスワードの組が定められる。そして、各ＶｏＩＰ端末の中に構内交換機１０配下の全ての電話端末の電話番号／ＩＤ／パスワードの組が保持される。また、呼制御サーバ２１にも同様の情報が保持される。
【００１８】
ＶｏＩＰ端末１とＶｏＩＰ端末２のそれぞれに全ての電話端末の電話番号／ＩＤ／パスワードの組を保持しなければならないのは、電話端末からの発信が構内交換機１０によりＶｏＩＰ端末１とＶｏＩＰ端末２のいずれかに接続される可能性があるからである。また、ここで使用されている構内交換機１０は、外線側に発信電話端末の電話番号を発信する機能を有している。なお、この機能は、ＩＳＤＮ回線を用いてダイヤルインサービスを提供可能な構内交換機が一般的に有している機能である。
【００１９】
このシステムにおいて０５０−３３８７−１００１の電話端末が発信を行うものとし、ＶｏＩＰ端末１に接続されるものとする。この場合、電話番号０５０−３３８７−１００１がＶｏＩＰ端末１に通知される。ＶｏＩＰ端末１では、保持している情報から、０５０−３３８７−１００１に対応するＩＤとパスワードを電話番号とともに発呼要求に含めてＶｏＩＰ網２０に送出する。
【００２０】
発信要求を受けた呼制御サーバ２１は、受信した電話番号／ＩＤ／パスワードと、保持している情報とから認証を行い、認証に成功した場合に呼接続処理を行う。呼接続処理において、発信電話番号である０５０−３３８７−１００１が着信者側に通知される。
【００２１】
このように、図２のような構成により発信電話端末の電話番号を個別に通知することが可能となる。しかしながら、図２の構成では全ての電話端末の電話番号／ＩＤ／パスワードの組を全てのＶｏＩＰ端末に設定しなければならないことから、電話端末を追加したり電話番号を変更する度に全てのＶｏＩＰ端末の設定変更をしなければならない。また、ＶｏＩＰ端末によってはメモリ容量の制限により全ての電話端末の電話番号／ＩＤ／パスワードの組を設定できない場合も発生し得る。このような問題を解決した本発明に係るシステムを次に説明する。
【００２２】
（本発明に係るシステムの実施形態）
図３に、本発明の一実施形態に係るシステムを示す。このシステムのハードウェア構成は図２に示したものと同様であるが、ＶｏＩＰ端末１、２及び呼制御サーバ２１が保持するデータ、及び処理内容が図２に示したものと異なる。
【００２３】
図２に示すように、このシステムでは、各ＶｏＩＰ端末は一組のＩＤ／パスワードを保持している。また、呼制御サーバ２１側では、構内交換機１０に収容された電話端末の電話番号群と、認証情報（ＩＤ／パスワード）群とを保持しており、電話番号群と認証情報群とが対応付けられている。また、電話番号群は電話番号データベースに格納され、認証情報群は認証情報データベースに格納される。なお、このグループ分けは、例えば利用者の構内交換機毎とするが、１つの構内交換機に対して複数のグループとしてもよい。
【００２４】
このシステムの動作を図４のシーケンスチャートを用いて説明する。ここでは、０５０−３３８７−１００１の電話端末が発信を行い、ＶｏＩＰ端末１に接続されるものとする。
【００２５】
まず、０５０−３３８７０−１００１の電話端末が発信動作を行うと、構内交換機１０は発信電話端末の電話番号を収容位置から認識する（ステップＳ１）。なお、発信電話端末が自分の電話番号を送出し、構内交換機１０がその電話番号を受信することにより発信電話端末の電話番号を認識することとしてもよい。
【００２６】
次に、構内交換機１０は、ＶｏＩＰ端末１、２と構内交換機１０間で空いている回線を探し、その回線に接続されたＶｏＩＰ端末（本実施形態ではＶｏＩＰ端末１）に発信電話端末の電話番号である０５０−３３８７０−１００１を含む発呼要求を送信する（ステップＳ２）。
【００２７】
構内交換機１０から発呼要求を受信したＶｏＩＰ端末１は、構内交換機１０から通知された発信電話端末の電話番号と、ＶｏＩＰ端末１に設定されているＩＤ／パスワードとを含む発呼要求をＶｏＩＰ網２０に送出する（ステップＳ３）。なお、構内交換機１０がＶｏＩＰ端末に対して発信電話番号を通知する機能を持たない場合には、ＶｏＩＰ端末に予め設定している電話番号（例えば０５０−３３８７−１０００）とＩＤ／パスワードとを含む発呼要求をＶｏＩＰ網２０に送出する。この場合、個別の発信番号通知はできないが、構内交換機１０がＶｏＩＰ端末に対して発信電話番号を通知する機能を持たない場合でも通話接続を行うことが可能となる。
【００２８】
続いて呼制御サーバ２１は、ＶｏＩＰ端末１から発信電話番号／ＩＤ／パスワードを含む発呼要求を受信すると認証を行う（ステップＳ４）。認証においてはまず電話番号データベースを検索し、ＶｏＩＰ端末１から受信した発信電話番号を探す。そして、電話番号データベースに発信電話番号が存在する場合に、その発信電話番号が属する電話番号群に対応付けられている認証情報群における各ＩＤ／パスワードと、ＶｏＩＰ端末１から受信したＩＤ／パスワードとの照合を行い、認証情報群にＶｏＩＰ端末１から受信したＩＤ／パスワードが含まれていれば認証成功と判定し、発呼要求を受け入れ、呼の接続処理を行う（ステップＳ５）。呼の接続処理の中で発信電話番号が着信側に通知される。
【００２９】
（各装置の機能構成について）
以下、各装置の機能構成について説明する。構内交換機１０は既存のものを使用できるので、以下、ＶｏＩＰ端末１と呼制御サーバ２１について説明する。なお、ＶｏＩＰ端末２はＶｏＩＰ端末１と同じ構成である。
【００３０】
図５に、ＶｏＩＰ端末１の機能構成を示す。同図に示すようにＶｏＩＰ端末１は、ＩＰ網インタフェース部１１、呼制御部１２、音声通信部１３、構内交換機インタフェース部１４、記憶部１５を備えている。
【００３１】
ＩＰ網インタフェース部１１は、ＩＰ網としてのＶｏＩＰ網２０上でデータ通信を行うための機能部である。呼制御部１２は、構内交換機１０から受信する信号に基づきＶｏＩＰ網２０との間で各種呼制御信号を送受信することによりＶｏＩＰ網上で音声チャネルを確立する機能、構内交換機１０に対して呼接続の状態に応じた信号を送信する機能等を備えている。また、構内交換機１０から受信した発信電話番号と、記憶部１５から読み出したＩＤ／パスワードとを含む発呼要求を生成し、ＶｏＩＰ網２０に送出する機能を有している。
【００３２】
音声通信部１３は、呼制御部１２により確立された音声チャネルを用いて音声通信を行うための機能部であり、音声データ／ＩＰパケット変換等の機能を含んでいる。構内交換機インタフェース部１４は、構内交換機１０との間で信号を送受信するための機能部である。また、記憶部１５には図３に示したようなＩＤ／パスワードの組が格納される。また、構内交換機１０が発信電話番号を送出しない場合に備えて所定の電話番号を格納しておいてもよい。
【００３３】
上記のＶｏＩＰ端末は、呼制御部１２が構内交換機１０から受信した発信電話番号を発呼要求に含めてＶｏＩＰ網２０に送出する点以外は、図１に示した既存のＶｏＩＰ端末と同じ構成である。
【００３４】
ＶｏＩＰ端末は、上記の各機能部をハードウェア回路として作成することにより実現することもできるし、ＣＰＵ、記憶装置等を備えた一般的なコンピュータに、構内交換機やＩＰ網との通信のためのハードウェアと上記各機能部を実現するためのプログラムとを搭載することにより実現することもできる。
【００３５】
次に、呼制御サーバ２１の機能構成を図６に示す。本実施の形態の呼制御サーバ２１は、通信インタフェース部２１１、呼制御部２１２、認証部２１３、記憶部２１４を備えている。通信インタフェース部２１１はＶｏＩＰ網２０上でＩＰ通信を行うための機能部である。呼制御部２１２は、端末間での呼の接続処理等を行う機能部である。認証部２１３は、図３に示したデータを参照することにより、発信側端末の認証を行うための機能部である。記憶部２１４には、電話番号データベースと認証情報データベースが格納されている。なお、図６は呼制御サーバ２１において本発明に関係する機能を示すものであり、呼制御サーバ２１には図６に示す機能部以外にもＶｏＩＰサービスを実現するために必要な機能が備えられていることはいうまでもない。
【００３６】
呼制御装置は、ＣＰＵ、記憶装置、通信装置等を備えた一般的なコンピュータに、上記各機能部を実現するためのプログラムを搭載することにより実現することができる。
【００３７】
図７に、電話番号データベース（ａ）と認証情報データベース（ｂ）の内容例を示す。図７（ａ）に示すように、電話番号データベースにはグループを識別するための識別情報と対応付けて電話番号が格納されている。同様に、認証情報データベースにはグループを識別するための識別情報と対応付けてＩＤ／パスワードが格納されている。この識別情報により、電話番号群と認証情報群とが対応付けられている。
【００３８】
次に、図８に示すフローチャートを参照してＶｏＩＰ端末の動作について説明する。まず、発呼要求を構内交換機１０から受信する（ステップＳ１１）。ＶｏＩＰ端末は、発呼要求の中に発信電話番号が含まれているか否かをチェックし（ステップＳ１２）、含まれていればその電話番号と、記憶部１５から読み出したＩＤ／パスワードとを含む発呼要求をＶｏＩＰ網２０に送出する（ステップＳ１３）。ステップＳ１２において、発呼要求の中に発信電話番号が含まれていなければ、予め記憶部１５に設定しておいた電話番号と、ＩＤ／パスワードとを含む発呼要求をＶｏＩＰ網に送出する（ステップＳ１４）。
【００３９】
次に、図９に示すフローチャートを参照して呼制御サーバ２１に動作について説明する。呼制御サーバ２１は、まず発呼要求をＶｏＩＰ端末から受信する（ステップＳ２１）。そして、発呼要求に含まれる発信電話端末の電話番号が電話番号データベースに格納されているかどうかを電話番号データベースを検索することによりチェックする（ステップＳ２２）。電話番号データベースに発信電話端末の電話番号があれば、その電話番号に対応付けられているグループの識別情報と、発呼要求に含まれるＩＤ／パスワードを用いて、当該識別情報に対応する当該ＩＤ／パスワードが認証情報データベースにあるかどうかを認証情報データベースを検索することによりチェックする（ステップＳ２３）。ステップＳ２３のチェックにより、発呼要求に含まれるＩＤ／パスワードが発信電話番号のグループに対応付けて認証情報データベースに存在する場合は、ステップＳ２１で受信した発呼要求に基づく呼接続処理を実行する（ステップＳ２４）。
【００４０】
ステップＳ２２において発信電話番号が電話番号データベースに存在しない場合、もしくはステップＳ２３において発呼要求に含まれるＩＤ／パスワードが発信電話番号のグループに対応付けて認証情報データベースに存在しない場合は、接続を拒否することを示すメッセージをＶｏＩＰ端末に返す（ステップＳ２５）。
【００４１】
このような構成としたことにより、各ＶｏＩＰ端末に認証情報データベースに登録されたＩＤ／パスワード群のうちの１つのＩＤ／パスワードのみを設定しておくだけで発信電話番号を個別に通知することが可能となる。また、新たな発信電話番号の追加があっても、各ＶｏＩＰ端末には何ら変更を加える必要がない。
【００４２】
なお、本発明は、上記の実施の形態に限定されることなく、特許請求の範囲内において、種々変更・応用が可能である。
【図面の簡単な説明】
【００４３】
【図１】ＶｏＩＰ網を用いたダイアルインサービスを提供するための従来のシステム構成図である。
【図２】個別番号発信を実現するためのシステムの一例である。
【図３】本発明の一実施形態に係るシステムを示す図である。
【図４】図３に示すシステムの動作を説明するためのシーケンスチャートである。
【図５】ＶｏＩＰ端末の機能構成図である。
【図６】呼制御サーバの機能構成図である。
【図７】電話番号データベースと認証情報データベースの内容例を示す図である。
【図８】ＶｏＩＰ端末の動作を説明するためのフローチャートである。
【図９】呼制御サーバの動作を説明するためのフローチャートである。
【符号の説明】
【００４４】
１、２  ＶｏＩＰ端末
１０  構内交換機（ＰＢＸ）
２０  ＶｏＩＰ網
２１  呼制御サーバ（ＣＡ）
１１  ＩＰ網インタフェース部
１２  呼制御部
１３  音声通信部
１４  構内交換機インタフェース部
１５  記憶部
２１１  通信インタフェース部
２１２  呼制御部
２１３  認証部
２１４  記憶部
【図１】
0004578368.tif 000002
【図２】
0004578368.tif 000003
【図３】
0004578368.tif 000004
【図４】
0004578368.tif 000005
【図５】
0004578368.tif 000006
【図６】
0004578368.tif 000007
【図７】
0004578368.tif 000008
【図８】
0004578368.tif 000009
【図９】
0004578368.tif 000010